(57)【特許請求の範囲】
【請求項１】
少なくとも１つの音響チャンネルを有し、スクリーン（４；１０；２０；３０）および前記音響チャンネルのための、少なくとも１つのウーハー（６；１１Ｌ；１１Ｃ；１１Ｒ；２１Ｌ；２１Ｃ；２１Ｒ；３１Ｌ；３１ＣＨ；３１ＣＬ；３１Ｒ）および少なくとも１つの中音／高音用スピーカ（７；１２Ｌ；１２Ｃ；１２Ｒ；２２Ｌ；２２Ｃ；２２Ｒ；３２Ｌ；３２ＣＨ；３２ＣＬ；３２Ｒ）を備える音響を伴う映画作品またはデジタル作品を投影するためのシステムであって、
前記スクリーンが無孔スクリーンであることと、
前記中音／高音用スピーカが、投影方向に対してその後部に前記スクリーンに対向して配置されている平面音響トランスジューサであることと、
極高音用スピーカ（８；１３Ｌ；１３Ｃ；１３Ｒ；２３Ｌ；２３Ｃ；２３Ｒ；３３Ｌ；３３ＣＨ；３３ＣＬ；３３Ｒ）が、前記スクリーンの周囲に配置されることとを特徴とするシステム。
【請求項２】
前記中音／高音用トランスジューサが、前記ウーハーの上方に配置される請求項１に記載のシステム。
【請求項３】
前記極高音用スピーカが、前記スクリーンの上方の前記中音／高音用トランスジューサの上方に配置される請求項１または２に記載のシステム。
【請求項４】
少なくとも２つの側方チャンネルを備えるマルチチャンネル音響を伴う映画作品またはデジタル作品を投影するためのシステムであって、前記側方チャンネルの前記極高音用スピーカ（１３Ｌ；１３Ｒ；３３Ｌ；３３Ｒ）が、前記スクリーンのどちらかの側に配置される請求項１乃至３の何れか一項に記載のシステム。
【請求項５】
前記側方チャンネルの前記極高音用スピーカが、前記の対応するチャンネルの前記平面中音／高音用トランスジューサの高さと同じ高さに配置される請求項４に記載のシステム。
【請求項６】
２つの側方チャンネルを備えるマルチチャンネル音響を伴う映画作品またはデジタル作品を投影するためのシステムであって、前記側方チャンネルの前記極高音用スピーカ（２３Ｌ，２３Ｒ）が、前記スクリーンの上方に配置される請求項１乃至３の何れか一項に記載のシステム。
【請求項７】
前記側方チャンネルの前記極高音用スピーカが、前記の対応するチャンネルの前記平面中音／高音用トランスジューサの上方に配置される請求項６に記載のシステム。
【請求項８】
２つの側方チャンネルと、中央の高位置チャンネルおよび中央の低位置チャンネルとを備える４チャンネルの音響を伴う映画作品またはデジタル作品を投影するためのシステムであって、前記中央の高位置チャンネルの前記極高音用スピーカ（３３ＣＨ）が前記スクリーンの上方に配置され、前記中央の低位置チャンネルの前記極高音用スピーカ（３３ＣＬ）が前記スクリーンの下方に配置される請求項１乃至７の何れか一項に記載のシステム。
【請求項９】
前記ウーハーが、３００Ｈｚ〜８００Ｈｚより低い周波数を有する音響を発生するように配置される請求項１乃至８の何れか一項に記載のシステム。
【請求項１０】
前記極高音用スピーカが、３ｋＨｚ〜５ｋＨｚより高い周波数を有する音響を発生するように配置される請求項１乃至９の何れか一項に記載のシステム。
【発明の詳細な説明】
【技術分野】
【０００１】
本発明は、音響を伴う映画作品またはデジタル作品を投影するためのシステムに関し、特に少なくとも１つの音響チャンネルを含むフィルム用のシステムに関する。上記システムは、スクリーンを備えていて、上記音響チャンネルのための少なくとも１つのウーハーおよび少なくとも１つの中音／高音用スピーカを備える。
【背景技術】
【０００２】
以下の説明においては、音響チャンネルは、本発明の場合には、スクリーン・チャンネルだけを意味し、従来の方法で処理される背景音チャンネルを含まない。
通常、スクリーン・チャンネルは３つある。すなわち、左チャンネル、中央チャンネルおよび右チャンネルである。また、中央−左チャンネルおよび中央−右チャンネルを含む５つのチャンネルを備えるシステムも使用される。
【０００３】
最後に、４つのチャンネルを備える巨大なスクリーン・システムも使用される。このうち２つのチャンネルは側方チャンネルであり、他の２つのチャンネルは中央−高位置チャンネルおよび中央−低位置チャンネルである。
【０００４】
従来のシステムの場合には、各チャンネルは、２つまたは３つのスピーカを備える。すなわち、それぞれの場合、ウーハーおよび中音／高音用スピーカまたは１つの中音用スピーカおよび１つのツィータを備える。中音／高音用スピーカ、中音用スピーカおよびツィータは、一般的にホーン・スピーカである。これらのスピーカはスクリーンの背後に置かれる。
【０００５】
このレイアウトのために、孔または微小孔を含むＰＶＣのシートからできている有孔スクリーンを使用しなければならない。実際には、無孔スクリーンを使用すれば、低音が容易に通過できるが、中音、高音および極高音の音が許容できないほど減衰してしまう。
【０００６】
しかし、有孔スクリーンは、音響の点でいくつかの欠点があり、映像の品質も劣化させる。音響の面からいうと、有孔スクリーンは、孔を通過する音波の分散により、マスク効果および干渉を引き起こす。映像の面からいうと、孔は輝度、コントラストおよび精細度を相当に低減する。さらに、映写室の最前列においては、孔が横糸のように見えてしまう。
【０００７】
特許文献１は、すでに磁気アクチュエータにより直接作動する音響振動板としての投影スクリーンの使用を提案している。しかし、このような装置は、小型スクリーンの場合に使用することができるだけである。さらに、このシステムを使用した場合、中音および高音をうまく再生することができない。
【０００８】
特許文献２および特許文献３も、無孔スクリーンの使用、およびスクリーンの上方への中音／高音用ホーン・スピーカの設置を提案している。この装置は、ほとんどの部分において、スクリーンから音像を完全に上方にシフトしてしまうという重大な欠点がある。
【特許文献１】米国特許第５，０２５，４７４号明細書
【特許文献２】米国特許第５，００４，０６７号明細書
【特許文献３】米国特許第５，１０９，４２３号明細書
【発明の開示】
【発明が解決しようとする課題】
【０００９】
本発明の目的は、これらの欠点を補償することである。
より詳細に説明すると、本発明の目的は、確実に音質をはっきりと改善し、現在の規制（特にＩＳＯ  ２９６９「Ｘ」曲線規格）に非常によく適合していて、芸術的レベルでプロデューサが必要とするミキシングを行うことができる無孔スクリーンの映像品質を有する投影システムを提供することにある。
【課題を解決するための手段】
【００１０】
この目的のために、本発明は、少なくとも１つの音響チャンネルを含み、スクリーンと、上記音響チャンネルのための少なくとも１つのウーハーおよび少なくとも１つの中音／高音用スピーカを備える音響を伴う映画作品またはデジタル作品を投影するためのシステムを提供する。この場合、
スクリーンは無孔スクリーンであり、
中音／高音用スピーカは、投影の方向に関連して、その後部へスクリーンと対向して置かれた平面音響トランスジューサであり、
極高音用スピーカはスクリーンの周囲に配置されている。
【００１１】
実際には、中音および高音に対して１つまたはいくつかの平面トランスジューサを使用し、これらのトランスジューサをスクリーンに対向して設置した場合には、スクリーンが受動的にうまく伝達するこの周波数範囲の振動により、スクリーンの前の音響インピーダンスを適合させることができることを観察することができる。
【００１２】
極高音だけは、スクリーンによりうまく伝達されないので（室内の音響の指向性および空間の広がりの問題）、スクリーンの周囲に置かれたスピーカが、この範囲の周波数のために使用される。このようにしても全然問題はない。何故なら、人間の耳は、極高音源の位置にそれほど敏感ではないからである。
【００１３】
本発明の特定の実施形態の場合には、上記中音／高音トランスジューサは、ウーハーのほぼ上に配置されている。
また、本発明の特定の実施形態の場合には、極高音用スピーカは、スクリーンの上方の、中音／高音用トランスジューサのほぼ上方に配置されている。
【００１４】
少なくとも２つの側方チャンネルを備えるマルチチャンネル音響を伴う映画フィルムを投影するためのシステムの場合には、上記側方チャンネルの極高音用スピーカをスクリーンのどちらかの側に配置することができる。
【００１５】
より詳細に説明すると、上記側方チャンネルの上記極高音用スピーカを、対応するチャンネルの中音／高音用トランスジューサの高さとほぼ同じ高さのところに配置することができる。
【００１６】
本発明の別の実施形態の場合には、上記側方チャンネルの極高音用スピーカはスクリーンの上方に配置されている。
より詳細に説明すると、上記側方チャンネルのこれらの極高音用スピーカは、対応するチャンネルの中音／高音用トランスジューサのほぼ上に配置することができる。
【００１７】
２つの側方チャンネル、１つの中央の高位置チャンネル、および１つの中央の低位置チャンネルを備える４つのチャンネルを有する映画フィルムを投影するためのシステムの場合には、上記中央の高位置チャンネルの極高音用スピーカをスクリーンの上方に配置することができ、上記中央の低位置チャンネルの極高音用スピーカをスクリーンの下に配置することができる。
【００１８】
上記ウーハーは、約３００Ｈｚ〜８００Ｈｚより低い周波数を有する音響を発生するように配置することができる。
上記極高音用スピーカは、約３ｋＨｚ〜５ｋＨｚより高い周波数を有する音響を発生するように配置することができる。
【発明を実施するための最良の形態】
【００１９】
次に、添付の図面を参照しながら本発明の特定の実施形態について説明するが、この説明はすべてを包括するものではない。
図１は、後壁面１、天井２および床３からなる映写室の断面図である。
【００２０】
無孔スクリーン４は、後壁面１からある距離のところに配置されている。本質的に低音／中音の周波数範囲内の音響の反射を減衰させるために、吸音材からなるプレート５が、スクリーン４の側部上において壁面１に対向して配置されている。
【００２１】
ウーハー６は、スクリーンの底部に向けて、スクリーン４とパネル５との間に配置されていて、このスピーカは、約５００Ｈｚより低い周波数を有する音響を発生することができる。
【００２２】
約５００Ｈｚ〜４ｋＨｚの範囲内の音響を発生することができる中音／高音用スピーカ７はウーハー６の上方に配置されている。
極高音用スピーカ８は、スピーカ６および７の上方の、スクリーンの周囲の上方に配置されていて、このスピーカは、約４ｋＨｚより高い周波数を有する音響を発生することができる。
【００２３】
スピーカ７は、平面音響トランスジューサで、その能動面はスクリーン４に対向して配置されている。
上記説明において、スピーカ６および８および平面トランスジューサ７は同じチャンネルに属する。
【００２４】
次に、図２、図３および図４の前面図を参照しながら、スクリーン４および壁面１の面に平行なスピーカのレイアウトについて説明する。
図２は、（１／１．８５のアスペクト比を有する１．８５パネルとも呼ばれる）いわゆる「パネル」フォーマットのスクリーン１０を示す。
【００２５】
左チャンネル、中央チャンネルおよび右チャンネルは、それぞれ、ウーハー１１Ｌ、１１Ｃおよび１１Ｒ、それぞれ中音／高音用の平面トランスジューサ１２Ｌ、１２Ｃおよび１２Ｒ、それぞれ極高音用スピーカ１３Ｌ、１３Ｃおよび１３Ｒからなる。
【００２６】
中央の極高音用スピーカ１３Ｃは、図１のスピーカ８のように、スクリーンの上方に配置されている。
一方、この場合、側方の極高音用スピーカ１３Ｌおよび１３Ｒは、図の例の場合、スクリーン１０のほぼ中間の高さのところに、また中音／高音用平面トランスジューサの高さとほぼ同じ高さのところに、スクリーンの横およびスクリーンの外側にそれぞれ配置されている。
【００２７】
中音／高音用トランスジューサおよび極高音用スピーカの通過帯域が必然的に重なるので、図２を見れば分かるように、側方の中音／高音用トランスジューサ１２Ｌおよび１２Ｒの音像１４Ｌおよび１４Ｒは、スクリーンから外側へ若干シフトし、これにより聴覚空間を広げることができる。同様に、中央の中音／高音用トランスジューサ１２Ｃの音像１４Ｃは、上方に若干シフトする。この最後の音像１４Ｃは、実際には、理想的な高さに位置する。何故なら、会話は非常に多くの場合、この高さの帯域で行われるからである。
【００２８】
図３の場合には、（１／２．３９のアスペクト比を有するスコープ２．３９とも呼ばれる）「スコープ」と呼ばれるタイプのスクリーン２０は、図２のパネル・スクリーンより水平方向に長い。この図のウーハーおよび中音／高音用トランスジューサには、図２と同じ参照符号がつけてあるが、１０だけ大きくなっている。これらのレイアウトは、図２のレイアウトとほぼ同じである。
【００２９】
一方、中央の極高音用スピーカ２３Ｃが、スピーカ１３Ｃのように、中央チャンネルのウーハーおよび中音／高音用トランスジューサとほぼ一直線上にスクリーンの上方に配置されている場合、側方の極高音用スピーカ２３Ｌおよび２３Ｒは、対応する側方チャンネルのスピーカ２１および２２の上方のスクリーンの上方に配置される。
【００３０】
このような状態では、側方チャンネルの中音／高音用トランスジューサの音像２４Ｌおよび２４Ｒは、中央チャンネルの音像２４Ｃの場合と同じように上方に若干シフトする。
図４は、高音および低音の左の側方チャンネル、右の側方チャンネルおよび２つの中央のチャンネルを含む、巨大なスクリーン３０および４つのチャンネルを含むシステムを示す。この図の２つの側方チャンネルのウーハーおよび極高音用スピーカおよび中音／高音用トランスジューサは、図２と同じ参照符号がつけてあるが、２０だけ数が大きくなっている。そのレイアウトは図２に示すレイアウトとほぼ同じである。
【００３１】
中央の高音用チャンネルは、ウーハー３１ＣＨ、平面中音／高音用トランスジューサ３２ＣＨ、および極高音用スピーカ３３ＣＨから構成されている。ウーハー３１ＣＨおよびトランスジューサ３２ＣＨは、スクリーンの頂部に向けて、スクリーンの背後に横に並べて配置されている。スピーカ３３ＣＨは、ウーハー３１ＣＨおよびトランスジューサ３２ＣＨのほぼ上のスクリーンの上方に配置されている。
【００３２】
同様に、中央の低位置チャンネルは、ウーハー３１ＣＬ、平面中音／高音用トランスジューサ３２ＣＬ、および極高音用スピーカ３３ＣＬから構成されている。ウーハー３１ＣＬおよびトランスジューサ３２ＣＬは、スクリーンの底部に向けて、スクリーンの背後に横に並べて配置されている。スピーカ３３ＣＬは、ウーハー３１ＣＬおよびトランスジューサ３２ＣＬのほぼ下に、スクリーンの下に配置されている。
【００３３】
この図は、また、トランスジューサに対して若干上方にシフトしているトランスジューサ３２ＣＨの音像３４ＣＨ、およびトランスジューサに対して下方に若干シフトしているトランスジューサ３２ＣＬの音像３４ＣＬも示す。
【図面の簡単な説明】
【００３４】
【図１】本発明によるシステムを備える映写室のスクリーンに対して垂直な縦断面図。
【図２】本発明の第１の実施形態によるシステムの前面図。
【図３】本発明の第２の実施形態によるシステムの前面図。
【図４】本発明の第３の実施形態によるシステムの前面図。
【図１】
0004545739.tif 000002
【図２】
0004545739.tif 000003
【図３】
0004545739.tif 000004
【図４】
0004545739.tif 000005